(57)【要約】  本発明に係る操作端末（３０）は、操作対象の室内機と有線で通信可能な有線通信部（３１）と、操作対象の室内機の運転状態の設定内容を示す第１の情報の設定の操作を受け付ける入力部（３５）と、第１の情報を操作対象の室内機と無線で通信可能な操作端末へ無線で送信可能な無線通信部（３４）と、を備えることを特徴とする。
2019026289.tif 000002
【特許請求の範囲】
【請求項１】
操作対象の室内機と有線で通信可能な有線通信部と、
前記操作対象の室内機の運転状態の設定内容を示す第１の情報の設定の操作を受け付ける入力部と、
前記第１の情報を前記操作対象の室内機と無線で通信可能な操作端末へ無線で送信可能な無線通信部と、
を備えることを特徴とする操作端末。
【請求項２】
他の操作端末が受け付けた室内機の運転状態の変更内容を示す第２の情報と、前記第２の情報に対応する前記室内機を識別する情報である第３の情報と、前記第２の情報を識別する情報である第４の情報と、を他の操作端末から無線通信で受信可能な無線通信部と、
前記操作対象の室内機を識別する情報である第５の情報と、前記操作端末がこれまで受信した前記第４の情報の一覧である第６の情報と、を保持する記憶部と、
前記第３の情報と前記第５の情報とが同一であるか判定し、同一でない場合、前記第４の情報と同一の情報が前記第６の情報の中にあるか判定し、前記第４の情報が、前記第６の情報の中にない場合、前記第２の情報と、前記第３の情報と、前記第４の情報とを前記無線通信部から送信させる制御部と、
を備えることを特徴とする請求項１に記載の操作端末。
【請求項３】
室内機と、
請求項１または請求項２に記載の操作端末を備えることを特徴とする空気調和システム。
【発明の詳細な説明】
【技術分野】
【０００１】
本発明は、室内機を操作可能な操作端末、およびこの操作端末を備える空気調和システムに関する。
【背景技術】
【０００２】
室内機および複数の操作端末を備える従来の空気調和システムにおいては、使用者は、操作端末を用いて室内機の運転の操作を行う。特許文献１には、室内機と、有線で室内機と通信するリモートコントローラ（以下、リモコンと略す）と、無線で室内機と通信するリモコンとを備えた空気調和システムが開示されている。
【先行技術文献】
【特許文献】
【０００３】
【特許文献１】特開平９−１９６４４３号公報
【発明の概要】
【発明が解決しようとする課題】
【０００４】
特許文献１に記載されている空気調和システムでは、有線で室内機と通信するリモコンは、室内機との有線通信によって室内機から運転情報を取得している。そのため、有線で室内機と通信するリモコンは、無線で室内機と通信するリモコンによって室内機の運転状態が設定された場合であっても、実際の室内機の運転状態の情報を、有線通信によって室内機から取得することができる。これにより、有線で室内機と通信するリモコンは、表示部の表示に室内機の運転状態を反映することができる。【０００５】
しかしながら、無線で室内機と通信するリモコンは、室内機と有線で接続されていないため、他のリモコンによって室内機の運転状態が設定された場合、実際の室内機の運転状態がわからず、実際の室内機の運転状態を表示部における表示に反映できない。そのため、室内機の運転状態と、無線で通信するリモコンの表示部に表示される室内機の運転状態とが一致しないという問題があった。【０００６】
本発明は、上記に鑑みてなされたものであって、室内機の運転状態と、室内機と無線で通信する他の操作端末の表示部に表示される室内機の運転状態とを一致させることができる操作端末を得ることを目的とする。
【課題を解決するための手段】
【０００７】
上述した課題を解決し、目的を達成するために、本発明に係る操作端末は、操作対象の室内機と有線で通信可能な有線通信部と、操作対象の室内機の運転状態の設定内容を示す第１の情報の設定の操作を受け付ける入力部と、第１の情報を操作対象の室内機と無線で通信可能な操作端末へ無線で送信可能な無線通信部と、を備えることを特徴とする。
【発明の効果】
【０００８】
本発明に係る操作端末は、室内機の運転状態と、室内機と無線で通信する操作端末の表示部の表示の内容とを一致することができるという効果を奏する。
【図面の簡単な説明】
【０００９】
【図１】実施の形態１にかかる空気調和システムの構成例を示す図
【図２】実施の形態１にかかる室内機の機能ブロックを示す図
【図３】実施の形態１にかかる無線リモコンの機能ブロックを示す図
【図４】実施の形態１にかかる有線リモコンの機能ブロックを示す図
【図５】実施の形態１の制御回路の構成例を示す図
【図６】実施の形態１にかかるリモコン間通信の動作を示すフローチャート
【図７】実施の形態２にかかる空気調和システムの構成例を示す図
【図８】実施の形態２にかかるリモコンの処理の動作を要約したフローチャート
【図９】実施の形態２にかかるリモコン間通信の動作を示すフローチャート
【発明を実施するための形態】
【００１０】
以下に、本発明の実施の形態にかかる操作端末および空気調和システムを図面に基づいて詳細に説明する。なお、この実施の形態によりこの発明が限定されるものではない。
【００１１】
実施の形態１．
図１は、本発明の実施の形態１にかかる空気調和システムの構成例を示す図である。空気調和システム１００は、第１の室内機である室内機１０と、室内機１０と無線で通信可能な操作端末である無線リモコン２０と、室内機１０と有線で通信可能な操作端末である有線リモコン３０と、を備える。本実施の形態において、無線リモコン２０および有線リモコン３０の操作対象の室内機は室内機１０である。
【００１２】
室内機１０と無線リモコン２０とは、赤外線による無線通信を行うことが可能である。また、室内機１０と有線リモコン３０とは通信線で有線接続され、有線通信を行うことが可能である。無線リモコン２０と有線リモコン３０とは無線通信を行うことが可能である。すなわち、無線リモコン２０と有線リモコン３０とは、リモコン間通信を行うことができる。リモコン間通信とは、リモコンが互いに無線で通信することを示す。リモコン間通信は、無線ＬＡＮまたはＢｌｕｅｔｏｏｔｈ（登録商標）などの通信方式によって無線通信を行うことが可能である。
【００１３】
なお、室内機１０と無線リモコン２０と有線リモコン３０とが送受信する情報の内容の詳細については後述する。
【００１４】
図２は、本発明の実施の形態１にかかる室内機の機能ブロックを示す図である。室内機１０は、室内機通信部１１と、室内機制御部１２と、室内機記憶部１３とを備える。室内機通信部１１は、無線リモコン２０との間で赤外線による無線通信により情報を受信することが可能である。また、室内機通信部１１は、有線リモコン３０との間で有線通信により情報を送受信することが可能である。室内機通信部１１は、無線リモコン２０から受信した情報を室内機制御部１２へ渡し、有線リモコン３０から受信した情報を室内機１０へ渡す。室内機制御部１２は、無線リモコン２０または有線リモコン３０から受信した情報に基づいて、自身の空調運転の制御をする。空調運転の制御方法については、一般的な空調運転と同様であるため詳細な説明を省略する。また、室内機制御部１２は、無線リモコン２０または有線リモコン３０から受信した情報を室内機記憶部１３に格納する。室内機記憶部１３は、無線リモコン２０または有線リモコン３０の情報を保持する。
【００１５】
図３は、実施の形態１にかかる無線リモコンの機能ブロックを示す図である。無線リモコン２０は、第１の無線通信部２１と、制御部２２と、表示部２３と、第２の無線通信部２４と、入力部２５と、記憶部２６と、を備える。
【００１６】
第１の無線通信部２１は、室内機１０との間で赤外線による無線通信により情報を送受信することが可能である。第１の無線通信部２１は、無線通信によって室内機１０から受信した情報を制御部２２へ渡す。第２の無線通信部２４は、有線リモコン３０との間で無線通信により情報を送受信することが可能である。第２の無線通信部２４は、無線通信によって有線リモコン３０から受信した情報を制御部２２へ渡す。制御部２２は、第１の無線通信部２１および第２の無線通信部２４から受信した情報を記憶部２６に格納する。表示部２３は、室内機１０の運転の状態を表示する。入力部２５は、使用者から室内機１０の運転の設定変更の入力を受け付ける。記憶部２６は、制御部２２から受信した室内機１０または有線リモコン３０の情報を保持する。
【００１７】
図４は、本発明の実施の形態１にかかる有線リモコンの機能ブロックを示す図である。有線リモコン３０は、第１の有線通信部３１と、制御部３２と、表示部３３と、第３の無線通信部３４と、入力部３５と、記憶部３６と、を備える。
【００１８】
第１の有線通信部３１は、室内機１０との間で有線通信により情報を送受信することが可能である。第１の有線通信部３１は、有線通信によって室内機１０から受信した情報を制御部３２へ渡す。第３の無線通信部３４は、無線通信によって無線リモコン２０から受信した情報を制御部３２へ渡す。制御部３２は、第１の有線通信部３１および第３の無線通信部３４から受信した情報を記憶部３６に格納する。表示部３３は、室内機１０の運転の状態を表示する。入力部３５は、使用者から室内機１０の運転の設定変更の入力を受け付ける。記憶部３６は、制御部３２から受信した室内機１０または無線リモコン２０の情報を保持する。
【００１９】
室内機制御部１２は、各処理を行う電子回路である処理回路により実現される。本処理回路は、専用のハードウェアであっても、メモリ及びメモリに格納されるプログラムを実行するＣＰＵ（Central  Processing  Unit、中央演算装置）などのプロセッサを備える制御回路であってもよい。ここでメモリとは、例えば、ＲＡＭ（Random  Access  Memory）、ＲＯＭ（Read  Only  Memory）、フラッシュメモリなどの、不揮発性または揮発性の半導体メモリ、磁気ディスク、光ディスクなどが該当する。この制御回路は、例えば、図５に示す構成の制御回路４００である。
【００２０】
図５に示すように制御回路４００は、プロセッサ４００ａと、メモリ４００ｂと、を備える。室内機制御部１２が、図５に示す制御回路４００により実現される場合、プロセッサ４００ａがメモリ４００ｂに記憶された、各処理に対応するプログラムを読み出して実行することにより実現される。また、メモリ４００ｂは、プロセッサ４００ａが実施する各処理におけるメモリとしても使用される。
【００２１】
室内機記憶部１３は、メモリにより実現される。室内機通信部１１は、有線および無線の通信回路により実現される。
【００２２】
制御部２２は、室内機制御部１２と同様に、各処理を行う電子回路である処理回路により実現される。本処理回路も、室内機制御部１２と同様であり、図５に示す構成の制御回路４００となる。制御回路４００は、プロセッサ４００ａと、メモリ４００ｂと、を備える。制御部２２が、図５に示す制御回路４００により実現される場合、プロセッサ４００ａがメモリ４００ｂに記憶された、各処理に対応するプログラムを読み出して実行することにより実現される。また、メモリ４００ｂは、プロセッサ４００ａが実施する各処理におけるメモリとしても使用される。
【００２３】
記憶部２６は、メモリにより実現される。表示部２３は、例えばディスプレイ、モニタなどにより実現される。入力部２５は、例えばボタンなどにより実現される。第１の無線通信部２１および第２の無線通信部２４は、通信回路およびアンテナにより実現される。
【００２４】
制御部３２は、室内機制御部１２と同様に、各処理を行う電子回路である処理回路により実現される。本処理回路も、室内機制御部１２と同様であり、図５に示す構成の制御回路４００となる。制御回路４００は、プロセッサ４００ａと、メモリ４００ｂと、を備える。制御部３２が、図５に示す制御回路４００により実現される場合、プロセッサ４００ａがメモリ４００ｂに記憶された、各処理に対応するプログラムを読み出して実行することにより実現される。また、メモリ４００ｂは、プロセッサ４００ａが実施する各処理におけるメモリとしても使用される。
【００２５】
記憶部３６は、メモリにより実現される。表示部３３は、例えばディスプレイ、モニタなどにより実現される。入力部３５は、例えばボタンなどにより実現される。第１の有線通信部３１は、有線の通信回路により実現される。第３の無線通信部３４は、通信回路およびアンテナにより実現される。
【００２６】
図６は実施の形態１にかかるリモコン間通信の動作を示すフローチャートである。
【００２７】
有線リモコン３０の制御部３２は、室内機１０から取得した室内機１０の運転状態の内容を、表示部３３に表示させる(ステップＳ０１)。
【００２８】
入力部３５は、室内機１０の運転状態を変更する情報の入力を使用者から受け付ける。運転状態を変更する情報には、運転状態の変更の対象となる室内機１０を示す情報と、運転状態の変更の内容を示す情報、すなわち変更後の運転状態を示す情報とが含まれる。制御部３２は、入力部３５が受け付けた情報から、識別番号と第１の情報である制御情報とを生成する(ステップＳ０２)。
【００２９】
制御情報は、空調の温度設定などの操作対象である室内機１０の運転状態の設定内容を示す情報である。制御情報は、例えば、冷房、暖房または除湿といった運転モードと設定温度とのうち少なくとも１つを示す情報である。制御情報は、例えば、冷房２５°Ｃといったように、運転モードと設定温度との組み合わせにより示される。
【００３０】
識別番号は、室内機１０を識別するための番号であり、他の室内機と区別するための番号である。識別番号は、数字の羅列であってもよいし、数字および文字の組み合わせであってもよく、他の室内機１０と識別できる情報であればよい。本実施の形態では、室内機記憶部１３、記憶部２６および記憶部３６は、事前に入力された運転操作の変更前の現在の室内機１０の制御情報を保持している。また、室内機記憶部１３、記憶部２６および記憶部３６は、運転操作の操作対象である室内機１０の識別番号をあらかじめ保持している。
【００３１】
制御部３２は、第１の有線通信部３１に対し、制御情報を室内機通信部１１へ送信するよう制御する（ステップＳ０３）。
【００３２】
室内機制御部１２は、有線リモコン３０から受信した制御情報を基に室内機１０の運転状態の変更を行うとともに、室内機記憶部１３が保持している制御情報を有線リモコン３０から受信した制御情報へ書き換える（ステップＳ０４）。
【００３３】
制御部３２は、第３の無線通信部３４に対し、制御情報および識別番号をリモコン間通信により第２の無線通信部２４へ送信するよう制御する（ステップＳ０５）。また、第２の無線通信部２４は、制御情報および識別番号を無線信号として送信する。
【００３４】
無線リモコン２０の制御部２２は、有線リモコン３０から受信した識別番号と、記憶部２６に保持される室内機１０の識別番号とが同一であるか判定する（ステップＳ０６）。
【００３５】
識別番号が同一である場合（ステップＳ０６，Ｙｅｓ）、制御部２２は、記憶部２６に保持されている制御情報を、受信した制御情報に書き換え、制御情報を表示部２３に表示させる（ステップＳ０７）。
【００３６】
識別番号が同一でない場合（ステップＳ０６，Ｎｏ）、制御部２２は、受信した情報は自身の運転操作の対象でない室内機の制御情報であることから、有線リモコン３０から受信した情報を破棄し、再度リモコン間通信による情報を受け付ける制御、すなわちリモコン間通信の受信を待つ制御を行う（ステップＳ０８）。
【００３７】
以上説明したように、本実施の形態では、使用者が有線リモコン３０を使用し室内機１０の運転状態を変更したとき、制御部３２は、制御情報を第１の有線通信部３１から室内機１０へ送信するよう制御する。また、制御部３２は、第３の無線通信部３４から第２の無線通信部２４へ、識別番号と第１の情報である制御情報とを送信するよう制御する。制御部２２は、第２の無線通信部２４で受信した識別番号と、記憶部２６に保持される室内機１０の識別番号とが同一であるか判定する。識別番号が同一であれば、記憶部２６に保持されている制御情報を識別番号と共に送信された制御情報に書き換え、制御情報を表示部２３に表示する。
【００３８】
以上により、室内機１０の運転状態と、無線リモコン２０の表示部２３に表示される室内機１０の運転状態と、が一致することになる。使用者は、これらの運転状態が一致することで、室内機１０の運転状態を無線リモコン２０および有線リモコン３０のどちらからでも把握することができる。
【００３９】
実施の形態２．
図７は、実施の形態２にかかる空気調和システムの構成例を示す図である。本実施の形態の空気調和システム１００ａでは、室内機１０−１、室内機１０−２および室内機１０−３と、無線リモコン２０−１、無線リモコン２０−２および無線リモコン２０−３と、有線リモコン３０−１、有線リモコン３０−２および有線リモコン３０−３と、を備える。
【００４０】
室内機１０−１、室内機１０−２および室内機１０−３は、実施の形態１の室内機１０と同様の構成である。無線リモコン２０−１、無線リモコン２０−２および無線リモコン２０−３は、実施の形態１の無線リモコン２０と同様の構成である。有線リモコン３０−１、有線リモコン３０−２および有線リモコン３０−３は、実施の形態１の有線リモコン３０と同様の構成である。
【００４１】
室内機１０−１〜１０−３を区別せずに示すときは、適宜、室内機１０と称する。無線リモコン２０−１〜２０−３を区別せずに示すときは、適宜、無線リモコン２０と称する。有線リモコン３０−１〜３０−３を区別せずに示すときは、適宜、有線リモコン３０と称する。
【００４２】
無線リモコン２０−１および有線リモコン３０−１は、室内機１０−１が操作対象の室内機である。無線リモコン２０−２および有線リモコン３０−２は、室内機１０−２が操作対象の室内機である。無線リモコン２０−３および有線リモコン３０−３は、室内機１０−３が操作対象の室内機である。無線リモコン２０−１および有線リモコン３０−１には、室内機１０−１の識別番号が、各記憶部に保持されている。無線リモコン２０−２および有線リモコン３０−２には、室内機１０−２の識別番号が、各記憶部に保持されている。無線リモコン２０−３および有線リモコン３０−３には、室内機１０−３の識別番号が各記憶部に保持されている。
【００４３】
無線リモコン２０−１は、無線リモコン２０−２および有線リモコン３０−２とそれぞれリモコン間通信が可能である。有線リモコン３０−１は、無線リモコン２０−２および有線リモコン３０−２とそれぞれリモコン間通信が可能である。無線リモコン２０−２は、無線リモコン２０−３および有線リモコン３０−３とそれぞれリモコン間通信が可能である。有線リモコン３０−２は、無線リモコン２０−３および有線リモコン３０−３とそれぞれリモコン間通信が可能である。一方、無線リモコン２０−１は、無線リモコン２０−３および有線リモコン３０−３とリモコン間通信ができない状態にあるとする。また、有線リモコン３０−１は、無線リモコン２０−３および有線リモコン３０−３とリモコン間通信ができない状態にあるとする。リモコン間通信ができない状態は、例えば、リモコン同士の距離が離れ無線通信可能な範囲外にある、またはリモコン間に遮蔽物が存在するといったときに生じる。
【００４４】
図８は、実施の形態２にかかるリモコンの処理の動作を要約したフローチャートである。なお、各動作、送受信される情報の詳細については、後述する図９のフローチャートにて説明する。
【００４５】
無線リモコン２０の第２の無線通信部２４は、制御情報、識別番号、制御番号を受信する。（ステップＳ１１）。
【００４６】
制御部２２は、受信した識別番号が、自身が制御する室内機１０の識別番号と同一であるか判定する（ステップＳ１２）。
【００４７】
無線リモコン２０が受信した識別番号と、自身が制御する室内機１０の識別番号とが同一であった場合（ステップＳ１２，Ｙｅｓ）、制御部２２は、第１の無線通信部２１から、自身が制御する室内機１０へ、制御情報を送信するよう制御する（ステップＳ１３）。その後、制御部２２は、リモコン間通信により伝送された信号を受信するまで待機する（ステップＳ１６）。
【００４８】
無線リモコン２０が受信した識別番号と、自身が制御する室内機１０の識別番号とが異なる場合（ステップＳ１２，Ｎｏ）、制御部２２は、受信した制御番号が、これまで受信したことのある制御番号と同一であるか判定する（ステップＳ１４）。
【００４９】
無線リモコン２０が受信した識別番号が、これまでに受信したことがある制御番号と同一であった場合（ステップＳ１４，Ｙｅｓ）、制御部２２は、再度リモコン間通信により伝送された信号を受信するまで待機する（ステップＳ１６）。
【００５０】
無線リモコン２０が受信した識別番号が、これまでに受信したことがない制御番号であった場合（ステップＳ１４，Ｎｏ）、制御部２２は、第２の無線通信部２４が、リモコン間通信が可能な無線リモコン２０または有線リモコン３０へ制御情報、識別番号および制御番号を送信するよう制御し（ステップＳ１５）、再度リモコン間通信により伝送された信号を受信するまで待機する（ステップＳ１６）。
【００５１】
なお、本フローチャートでは、無線リモコン２０を例として説明しているが、有線リモコン３０の場合であっても処理の動作は、無線リモコン２０と同一である。
【００５２】
図９は、実施の形態２にかかるリモコン間通信の動作を示すフローチャートである。本フローチャートは、使用者が、無線リモコン２０−１を操作して、無線リモコン２０−１が間接的に操作可能な室内機１０−３の運転状態を変更する場合に行われる処理手順の一例を示している。ここで、間接的に操作可能とは、例えば、無線リモコン２０−１からの制御情報が、他のリモコンを介して室内機１０−３に送信されることで、室内機１０−３を操作可能になることを示す。無線リモコン２０および有線リモコン３０の各記憶部には、操作対象となる室内機の識別番号とは別に、間接的に操作可能な室内機の識別番号が記憶されている。
【００５３】
無線リモコン２０−１の制御部２２は、表示部２３に無線リモコン２０−１が操作可能な室内機１０の一覧を表示させる(ステップＳ２１)。無線リモコン２０−１の表示部２３に表示される一覧には、無線リモコン２０−１の操作対象である無線機１０−１だけでなく、間接的に操作可能な室内機１０−２、室内機１０−３も含まれる。
【００５４】
無線リモコン２０−１の入力部２５は、使用者が操作することで選択した室内機１０−３の情報と、室内機１０−３の運転状態を変更する情報とを受け付ける(ステップＳ２２)。
【００５５】
無線リモコン２０−１の制御部２２は、ステップＳ１２で使用者が入力した情報から、制御情報と、識別番号と、第３の情報である制御番号とを生成する(ステップＳ２３)。
【００５６】
制御情報および識別番号は実施の形態１と同じ情報である。本フローチャートでの情報の内容は、制御情報は室内機１０−３の運転状態を変更する情報であり、識別番号は室内機１０−３の識別番号である。
【００５７】
制御番号とは、制御情報を一意に識別することができる番号である。制御番号は、制御情報および識別番号が同一である場合でも制御番号も同一になることはなく、室内機の状態を変更する時に、都度生成される番号である。制御番号は数字の羅列であってもよいし、文字と数字の組み合わせであってもよく、その他、制御番号を一意に特定できる情報であればよい。記憶部２６および記憶部３６はこれまでに受信した制御番号の一覧の情報を保持する。
【００５８】
無線リモコン２０−１の制御部２２は、無線リモコン２０−１の第２の無線通信部２４から、制御情報と、識別番号と、制御番号とをリモコン間通信可能である無線リモコン２０−２の第２の無線通信部２４へ送信するよう制御する(ステップＳ２４)。また、無線リモコン２０−１の第２の無線通信部２４は、制御情報、識別番号および制御番号を無線信号として送信する。
【００５９】
無線リモコン２０−２の第２の無線通信部２４は、無線リモコン２０−１の第２の無線通信部２４から送信された、第２の情報である制御情報と、第３の情報である識別番号と、第４の情報である制御番号とを受信する(ステップＳ２５)。第２の情報は、他の操作端末が受け付けた室内機の制御情報を示す。第３の情報は、第２の情報に対応する室内機を識別する情報である識別番号を示す。第４の情報は、第２の情報を識別する情報である制御番号を示す。
【００６０】
無線リモコン２０−２の制御部２２は、無線リモコン２０−１から受信した第３の情報である識別番号と、無線リモコン２０−２の記憶部２６に記憶されている第５の情報である室内機１０−２の識別番号とが同一であるか判定する(ステップＳ２６)。
【００６１】
第３の情報は室内機１０−３の識別番号であり、第５の情報は、無線リモコン２０−２にとって操作対象となる室内機１０−２の識別番号である。そのため、無線リモコン２０−２の制御部２２は、無線リモコン２０−１から受信した識別番号と、自身が保持する室内機１０−２の識別番号とが異なるとの判定をする。次に、無線リモコン２０−２の制御部２２は、無線リモコン２０−１から受信した、第４の情報である制御番号が、無線リモコン２０−２の記憶部２６に記憶されている第６の情報の中にあるか判定する(ステップＳ２７)。第６の情報とは、無線リモコン２０−２がこれまで受信した第４の情報である制御番号の一覧の情報である。
【００６２】
無線リモコン２０−２の制御部２２は、無線リモコン２０−１から受信した制御番号が記憶部２６に記憶されている制御番号の一覧にない、つまり一度も無線リモコン２０−２が受信した制御番号でないと判定した場合、無線リモコン２０−２の制御部２２は、無線リモコン２０−２がリモコン間通信可能な、有線リモコン３０−３に、無線リモコン２０−１から受信した第２の情報である制御情報、第３の情報である識別番号および第４の情報である制御番号を第２の無線通信部２４から送信するよう制御する。また、無線リモコン２０−２の制御部２２は、無線リモコン２０−１から受信した制御番号を記憶部２６に記憶されている制御番号の一覧に追加する（ステップＳ２８）。
【００６３】
有線リモコン３０−３の制御部３２は、第３の無線通信部３４から受信した識別番号と、記憶部３６に記憶されている室内機１０−３の識別番号とを同一であるか判定する(ステップＳ２９)。
【００６４】
制御部３２は、判定した結果、識別番号が同一であるため、第１の有線通信部３１から室内機１０−３の室内機通信部１１へ、無線リモコン２０−２から受信した制御情報を送信する。また、有線リモコン３０−３の制御部３２は、記憶部３６が保持している制御情報を、無線リモコン２０−２から受信した制御情報に更新する。また、受信した制御番号を記憶部３６に記憶されている制御番号の一覧に、無線リモコン２０−２から受信した制御番号を追加する(ステップＳ３０)。
【００６５】
室内機１０−３の室内機制御部１２は、室内機通信部１１から受信した制御情報を基に室内機１０−３の運転状態を変更する（ステップＳ３１）。
【００６６】
なお、本実施例では、使用者により無線リモコン２０−１を操作し設定された室内機１０−３の設定内容は、無線リモコン２０−１から、無線リモコン２０−２を経由して有線リモコン３０−３へ伝送されているが、無線リモコン２０−２を経由して無線リモコン２０−３へ伝送されてもよい。また、使用者により無線リモコン２０−１を操作し設定された室内機１０−３の設定内容は、有線リモコン３０−２を経由して無線リモコン２０−３または有線リモコン３０−３へ伝送されてもよい。使用者により有線リモコン３０−１を操作し設定された室内機１０−３の設定内容は、無線リモコン２０−２を経由して、無線リモコン２０−３または有線リモコン３０−３へ伝送されてもよい。また、有線リモコン３０−２を経由して、無線リモコン２０−３または有線リモコン３０−３へ伝送されてもよい。
【００６７】
このように、制御情報を送信する時に、一意である制御番号を付与することで無線リモコン２０または有線リモコン３０は送信されてきた情報を一度だけ、周囲の通信可能な無線リモコン２０または有線リモコン３０に対して送信する。このことにより、不要な通信を発生させることなく室内機の運転状態の変更を行うことができる。
【００６８】
また、運転状態の変更を行いたい室内機１０が接続している無線リモコン２０または有線リモコン３０と、使用者が操作を行う無線リモコン２０または有線リモコン３０との通信ができない状態であっても、制御情報と識別番号と制御番号とが、リモコン間通信によって運転状態の変更を行いたい室内機１０の無線リモコン２０または有線リモコン３０へ送信されるため、使用者が操作する無線リモコン２０または有線リモコン３０が通信できない室内機に対しても、使用者は室内機の操作を行うことができる。
【００６９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７０】
１０，１０−１，１０−２，１０−３  室内機、１１  室内機通信部、１２  室内機制御部、１３  室内機記憶部、２０，２０−１，２０−２，２０−３  無線リモコン、２１  第１の無線通信部、２２，３２  制御部、２３，３３  表示部、２４  第２の無線通信部、２５，３５  入力部、２６，３６  記憶部、３０，３０−１，３０−２，３０−３  有線リモコン、３１  第１の有線通信部、３４  第３の無線通信部、１００，１００ａ  空気調和システム、４００  制御回路、４００ａ  プロセッサ、４００ｂ  メモリ。
【図１】
2019026289.tif 000003
【図２】
2019026289.tif 000004
【図３】
2019026289.tif 000005
【図４】
2019026289.tif 000006
【図５】
2019026289.tif 000007
【図６】
2019026289.tif 000008
【図７】
2019026289.tif 000009
【図８】
2019026289.tif 000010
【図９】
2019026289.tif 000011
【国際調査報告】
2019026289.tif 000012
2019026289.tif 000013
2019026289.tif 000014
2019026289.tif 000015